(57)【要約】      （修正有）【課題】ドアを半開きの状態で維持することも可能なドアガードを提供する。【解決手段】軸Ｌ１を中心として水平方向に回動させることが可能な状態でドア１００の室内側表面に取り付けられたロックアーム２０と、ドア枠２００における室内側部分に取り付けられるロックピン１０とで構成されたドアガード１において、軸Ｌ２を中心として上下方向に起立又は倒伏させることが可能なカバーアーム３０をロックアーム２０の基端部に取り付けた。カバーアーム３０の下縁には、ロックピン掛止凹部３２を設けた。これにより、ドア１００を開いていき、ロックピン１０がロックピン案内孔２２を先端側に案内されていく際に、カバーアーム３０をロックアーム２０に対して倒伏させ、ロックピン掛止凹部３２にロックピン１０を掛止させることで、ドア１００を半開きの状態で維持することができる。【選択図】図５
2014034817.tif 000002
【特許請求の範囲】
【請求項１】
水平方向に回動させることが可能な状態でドアの室内側表面に取り付けられるロックアームと、
ドア枠における室内側部分に取り付けられるロックピンと
で構成され、
ロックピンの先端部が、ロックピンの基端部よりも太く形成され、
ロックピンの先端部を通すことが可能な寸法のロックピン嵌合孔が、ロックアームの基端部に設けられ、
ロックピンの基端部を通しながらもロックピンの先端部を通すことができない上下幅を有するロックピン案内孔が、ロックアームの基端部から先端側に向かって設けられ、
ドアが閉じられた状態でロックアームをロックピン側に回動させると、ロックピンの先端部がロックピン嵌合孔を通り抜けて、ロックピンの基端部がロックピン嵌合孔を貫通したロックピン嵌合状態となり、
ロックピン嵌合状態でドアを開いていくと、ロックピンの基端部がロックピン案内孔を先端側に案内されていき、ロックピンの基端部がロックピン案内孔における先端側の限界位置に達すると、それ以上はドアを開くことができない状態となる
ドアガードであって、
上下方向に起立又は倒伏させることが可能な状態でロックアームの基端部に取り付けられたカバーアームを備え、
ロックピン案内孔を案内されるロックピンを所定位置で掛止するためのロックピン掛止凹部が、カバーアームの下縁に設けられ、
ロックピン嵌合状態でドアを開いていく際に、カバーアームをロックアームに対して倒伏させ、ロックピン掛止凹部にロックピンを掛止させることで、ロックピンがロックピン案内孔を移動できなくして、ドアを半開きの状態で維持することができるようにしたことを特徴とするドアガード。
【請求項２】
複数のロックピン掛止凹部が、カバーアームの下縁に所定間隔で形成され、
ロックピンを掛止させるロックピン掛止凹部を選択することで、半開き状態に維持されるドアの隙間を段階的に調節することができるようにした請求項１記載のドアガード。
【請求項３】
カバーアームが、その下縁にロックピン掛止凹部が設けられた一対の側壁部と、該一対の側壁部の上縁を連結する天井部とを有する構造とされ、
カバーアームをロックアームに対して倒伏させた際に、カバーアームの天井部の下面がロックアームの上面に当接して、カバーアームの一対の側壁部がロックアームの前後を覆う構造とした請求項１又は２記載のドアガード。
【請求項４】
カバーアームにおけるロックピン掛止凹部が設けられた箇所よりも基端側のロックピン受け部が、カバーアームにおける他の部分よりも融点の低い材料によって形成され、
熱によってロックピン受け部が溶け落ちた後は、ロックピン掛止凹部がロックピンを掛止できなくなる構造とした請求項１〜３いずれか記載のドアガード。
【請求項５】
ロックピン受け部が、融点７０〜５００℃の材料によって形成された請求項４記載のドアガード。
【発明の詳細な説明】
【技術分野】
【０００１】
本発明は、ドアが僅かにしか開かないようにするだけでなく、ドアを僅かに開いた半開きの状態で維持することも可能なドアガードに関する。
【背景技術】
【０００２】
玄関のドアの外側にいる来訪者との会話や小さな荷物の受渡しが可能な程度までドアが開くのを許容しながらも、それ以上はドアが開かないようにして人が玄関内に侵入できないようにするための防犯用具として、ドアガードが知られている。ドアガードとしては、これまでに種々のものが提案されている。なかでも、特許文献１に示すように、水平方向に回動させることが可能な状態でドアの室内側表面に取り付けられるロックアーム（同文献の第２図における係止体１を参照）と、ドア枠における室内側部分に取り付けられるロックピン（同図における被係止体１１を参照）とで構成され、ロックピンの先端部（同図における球部１１ａを参照）がロックピンの基端部（同図における首部１１ｂを参照）よりも太く形成され、ロックピンの先端部を通すことが可能な寸法のロックピン嵌合孔（同図の幅広部１０ａを参照）がロックアームの基端部に設けられ、ロックピンの基端部を通しながらもロックピンの先端部を通すことができない上下幅を有するロックピン案内孔（同図の幅狭部１０ｂを参照）がロックアームの基端部から先端側に向かって設けられた構造のドアガードが一般的である。この構造のドアガードでは、ドアが閉じられた状態でロックアームをロックピン側に回動させると、ロックピンの先端部がロックピン嵌合孔を通り抜けて、ロックピンの基端部がロックピン嵌合孔を貫通したロックピン嵌合状態となり、ロックピン嵌合状態でドアを開いていくと、ロックピンの基端部がロックピン案内孔を先端側に案内されていき、ロックピンの基端部がロックピン案内孔における先端側の限界位置に達すると、それ以上はドアを開くことができない状態になるようになっている。
【０００３】
ところで、マンションなどでは、夏の暑い時期でも、クーラーを使用することなく、室内を涼しくするための工夫として、ベランダに面した掃き出し窓と玄関のドアの両方を開き、室内の風通しを良くすることが行われている。このとき、玄関のドアは、防犯上の理由から、ドアガードをした状態で僅かに開かれる。しかし、上記構造のドアガードは、ドアを僅かに開いた半開きの状態で維持する機能を有しておらず、ドアガードをしてドアを開いただけでは、ドアクローザや風の影響によってドアが勝手に閉まる構造のものとなっていた。このため、上記構造のドアガードを備えたマンションに住む人は、ドアガードをした状態でドアを開き、ドアとドア枠の隙間に小さな物を挟み込ませることにより、ドアを半開きの状態で維持していた。ところが、ドアとドア枠の隙間に物を挟み込む作業は煩わしく、特に、適当な物が玄関周辺に無いときには、家中を探し回らなければならず、非常に面倒であった。また、ドアの隙間に物を挟み込んだ状態は、決して見た目のよい光景ではなかった。加えて、ドアの隙間に物を挟み込んだ状態は、火災発生時にその隙間から炎が入り込むことや出ていくことを防ぐことができず、防火の観点からも好ましいものではなかった。火災発生時のマンションにおいて、延焼を防ぐことを考慮すると、玄関のドアは完全に閉じられた状態であることが好ましい。
【０００４】
このような実状に鑑みてか、これまでには、ドアが僅かにしか開かないようにするだけでなく、ドアを半開きの状態で維持することも可能な各種のドアガードが提案されている。例えば、特許文献２には、ロックアーム（同文献の図９におけるレール７）に設けたロックピン案内孔（同図における寸法ｆで表わされる部分）の先端部に上下幅の広くなった幅広部（同図における寸法ｇで表わされる部分）を設けるとともに、ロックピンの基端部（同文献の図１０における支柱部１４）よりもさらに基端側に太くなった拡径基部（同図における支柱部１５）を設けたドアガード（ストッパー機能付き防犯金具）が記載されている。このドアガードでは、ロックピンをロックピン案内孔の先端部まで移動させたときにロックアームをロックピンの基端側に押し付けて、ロックピンの拡径基部をロックピン案内孔の幅広部に嵌め込むことにより、ドアを半開きの状態で維持することができるようになっている。しかし、特許文献２のドアガードは、何らかの拍子にロックアームがロックピンの先端側に僅かに移動しただけで、ロックピンの拡径基部がロックピン案内孔の幅広部に嵌め込まれた状態が解除されてしまう構造となっており、意図せずドアが閉まってしまうおそれがある。
【０００５】
また、特許文献３には、ロックアーム（同文献の図２におけるロックアームＣ）のロックピン案内孔における上縁に凹部（同図における凹部６ｅ）を設けたドアガードが記載されている。このドアガードでは、ロックピン（同図におけるロックピンＤ）をロックピン案内孔の内部で前記凹部の下側まで移動させたときにロックアームを下側に押し下げて、ロックピンを前記凹部に掛止させることにより、ドアを半開きの状態で維持することができるようになっている。しかし、特許文献３のドアガードでも、何らかの拍子にロックアームが上側に僅かに移動しただけで、ロックピンが前記凹部に掛止された状態が解除されてしまい、意図せずドアが閉まってしまうおそれがある。加えて、特許文献３のドアガードは、ロックアームが２つの軸（同図における支軸２，４）によって軸支されていて様々な方向を向くため、ロックピンをロックアームに嵌合させるのに手間取るおそれがあり、必ずしも操作性に優れたものとは言えなかった。
【０００６】
さらに、特許文献４には、ロックピン案内孔（同文献の図１におけるスライド孔１８）の上下幅方向に拡縮自在な構造を有するストッパー部材（同図におけるストッパー本体２１）を備えたドアガードが記載されている。このドアガードでは、ストッパー部材をロックピン案内孔に嵌め込んだ状態でつまみ（同図における操作部材３４）を操作してストッパー部材を拡幅させることにより、ドアを半開きの状態で維持することができるようになっている。しかし、特許文献４のドアガードは、ストッパー部材がロックアームなどから分離した構造となっているため、ストッパー部材を紛失するおそれがあるし、その操作性にも難がある。加えて、特許文献４のドアガードにおいて、ストッパー部材の拡縮は、偏心カム（同文献の図２における偏心カム３３）によって実現しているため、何らかの拍子に偏心カムが僅かに傾いただけで、ストッパー部材が拡幅した状態が解除されてしまい、意図せずドアが閉まってしまうおそれもある。
【０００７】
さらにまた、特許文献５には、ロックアーム（同文献の図３におけるアーム部材９）とは独立して水平方向に回動させることが可能な規制アーム（同図における開閉規制部材１０）を備えたドアガードが記載されている。このドアガードでは、規制アームをロックピン（同図における係止軸８）に対して回動させ、規制アームに設けられた掛止凹部（同図における開放用係合凹部２３）や掛止孔（同図における開放用係合穴２４）にロックピンの頭部を掛止させることにより、ドアを半開きの状態で維持することができるようになっている。特許文献５のドアガードでは、ロックピンの拡径された頭部とロックアームとの隙間で規制アームが挟み込まれた状態となるため、掛止凹部や掛止孔に対するロックピンの掛止状態が解除されにくく、意図せずドアが閉まらないような構造となっている。しかし、特許文献５のドアガードは、意図的にロックピンの掛止状態を解除しようとした際には、ロックピンが掛止状態にあるときから僅かにドアを開いて、ロックピンの頭部をロックアームの先端側に僅かに移動させた後、規制アームをドア側に回動させるという２段階の操作が必要であり、必ずしも操作性に優れたものとは言えなかった。
【０００８】
加えて、引用文献２〜５のいずれのドアガードも、ドアが半開きの状態で維持されているときに火災が発生した際に、ドアが自動的に閉まることを可能とするような構造は有していなかった。このため、引用文献２〜５のドアガードも、防火の観点から好ましいものとは言えなかった。
【先行技術文献】
【特許文献】
【０００９】
【特許文献１】実開平０２−１２２８６５号公報
【特許文献２】実登第３０１８１９２号公報
【特許文献３】特開平１１−２３６７７９号公報
【特許文献４】特開２００２−１２１９４９号公報
【特許文献５】特開２００６−１６１３６０号公報
【発明の概要】
【発明が解決しようとする課題】
【００１０】
本発明は、上記課題を解決するために為されたものであり、ドアが僅かにしか開かないようにするだけでなく、ドアを僅かに開いた半開きの状態で維持することも可能なドアガードを提供するものである。また、ドアを半開きの状態で維持している際には、その状態を確実に維持することができ、不意にドアが閉まることのない構造のドアガードを提供することも本発明の目的である。さらに、操作性に優れたドアガードを提供することも本発明の目的である。さらにまた、ドアが半開きの状態で維持されているときに火災が発生した際には、ドアが自動的に閉まって延焼を防ぐことができるなど、防火を意識したドアガードを提供することも本発明の目的である。
【課題を解決するための手段】
【００１１】
上記課題は、
水平方向に回動させることが可能な状態でドアの室内側表面に取り付けられるロックアームと、
ドア枠における室内側部分に取り付けられるロックピンと
で構成され、
ロックピンの先端部が、ロックピンの基端部よりも太く形成され、
ロックピンの先端部を通すことが可能な寸法のロックピン嵌合孔が、ロックアームの基端部に設けられ、
ロックピンの基端部を通しながらもロックピンの先端部を通すことができない上下幅を有するロックピン案内孔が、ロックアームの基端部から先端側に向かって設けられ、
ドアが閉じられた状態でロックアームをロックピン側に回動させると、ロックピンの先端部がロックピン嵌合孔を通り抜けて、ロックピンの基端部がロックピン嵌合孔を貫通したロックピン嵌合状態となり、
ロックピン嵌合状態でドアを開いていくと、ロックピンの基端部がロックピン案内孔を先端側に案内されていき、ロックピンの基端部がロックピン案内孔における先端側の限界位置に達すると、それ以上はドアを開くことができない状態となる
ドアガードであって、
上下方向に起立又は倒伏させることが可能な状態でロックアームの基端部に取り付けられたカバーアームを備え、
ロックピン案内孔を案内されるロックピンを所定位置で掛止するためのロックピン掛止凹部が、カバーアームの下縁に設けられ、
ロックピン嵌合状態でドアを開いていく際に、カバーアームをロックアームに対して倒伏させ、ロックピン掛止凹部にロックピンを掛止させることで、ロックピンがロックピン案内孔を移動できなくして、ドアを半開きの状態で維持することができるようにしたことを特徴とするドアガード
を提供することによって解決される。
【００１２】
本発明のドアガードは、カバーアームをロックアームに対して倒伏させ、カバーアームの下縁に設けられたロックピン掛止凹部にロックピンを掛止させるという簡単な操作によって、ドアを半開きの状態に維持することができるものとなっている。ドアを半開きの状態で維持しているときには、カバーアームが重力によって浮き上がることがないので、ロックピンの掛止状態が解除されず、不意にドアが閉まることもない。また、本発明のドアガードは、意図的にロックピンの掛止状態を解除しようとした際には、カバーアームを起立させるだけでよいので、操作性にも優れている。
【００１３】
本発明のドアガードにおいて、ロックピン掛止凹部はカバーアームの下縁における少なくとも１箇所に設けられていればよいが、複数のロックピン掛止凹部をカバーアームの下縁に所定間隔で形成すると好ましい。これにより、ロックピンを掛止させるロックピン掛止凹部を選択することで、半開き状態に維持されるドアの隙間を段階的に調節することが可能になる。ドアの隙間は、２〜５段階程度で調節できるようにしておくと好ましい。
【００１４】
また、本発明のドアガードにおいて、カバーアームは、上記の機能を発揮できるのであれば、その具体的な形態は特に限定されないが、その下縁にロックピン掛止凹部が設けられた一対の側壁部と、該一対の側壁部の上縁を連結する天井部とを有する構造とされ、カバーアームをロックアームに対して倒伏させた際に、カバーアームの天井部の下面がロックアームの上面に当接して、カバーアームの一対の側壁部がロックアームの前後を覆う構造とすると好ましい。これにより、カバーアームのロックピン掛止凹部でロックピンをより安定して掛止することが可能になる。
【００１５】
さらに、本発明のドアガードにおいては、カバーアームにおけるロックピン掛止凹部が設けられた箇所よりも基端側のロックピン受け部を、カバーアームにおける他の部分よりも融点の低い材料によって形成すると好ましい。これにより、ドアを半開きの状態で維持しているときに火災が発生した際には、カバーアームにおけるロックピン受け部を熱によって溶け落ちさせ、ロックピン掛止凹部がロックピンを掛止できなくなる構造とすることが可能になる。したがって、ドアガードを、火災発生時にドアが自動的に閉まって延焼を防ぐことができるなど、防火を意識したものとすることができる。
【００１６】
このとき、カバーアームにおけるロックピン受け部の融点は、カバーアームにおける他の部分よりも低ければ特に限定されない。しかし、火災が発生していないときにロックピン受け部が溶け落ちるのでは問題がある。このため、ロックピン受け部の融点は、通常、７０℃以上とされる。ロックピン受け部の融点は、８０℃以上であると好ましく、９０℃以上であるとより好ましく、１００℃以上であるとさらに好ましい。一方、ロックピン受け部の融点が高すぎると、火災発生時にロックピン受け部が溶け落ちないおそれがある。このため、ロックピン受け部の融点は、通常、５００℃以下とされる。ロックピン受け部の融点は、４００℃以下であると好ましく、３００℃以下であるとより好ましく、２００℃以下であるとさらに好ましい。
【発明の効果】
【００１７】
以上のように、本発明によって、ドアが僅かにしか開かないようにするだけでなく、ドアを僅かに開いた半開きの状態で維持することもできるドアガードを提供することが可能になる。このため、夏の暑い時期でも、クーラーを使用することなく、室内の風通しを良くすることが可能になる。特に、近年では、夜間の室内温度が３０℃以上でもあるにもかかわらず、クーラーを使用することなく就寝して熱中症になる高齢者の数が増えてきている。なかには、命を落とす人もいる。しかし、本発明のドアガードを使用することによって、自然の風で室内を涼しくすることができるので、熱中症の患者の数や、それによる死亡事故の件数を減少させることも可能になる。また、ドアを半開きの状態で維持している際には、その状態を確実に維持することができ、不意にドアが閉まることのない構造のドアガードを提供することも可能になる。さらに、操作性に優れたドアガードを提供することも可能になる。さらにまた、ドアが半開きの状態で維持されているときに火災が発生した際には、ドアが自動的に閉まって延焼を防ぐことができるなど、防火を意識したドアガードを提供することも可能になる。
【図面の簡単な説明】
【００１８】
【図１】本発明のドアガードを玄関のドアに取り付けた状態を室内側から見た状態を示した図である。
【図２】図１におけるドアガード周辺を拡大した状態を示した図である。
【図３】ドアが閉じられた状態でロックアームをロックピン側に回動させ、ロックピンの先端部をロックピン嵌合孔に通り抜けさせたときのドアガードを、図１におけるＸ−Ｘ面側から見た図である。
【図４】図３に示す状態からカバーアームを持ち上げたときのドアガードを、図１におけるＸ−Ｘ面側から見た図である。
【図５】図４に示す状態からドアを僅かに開き、カバーアームを倒伏させてその基端側のロックピン掛止凹部にロックピンを掛止させたときのドアガードを、図１におけるＸ−Ｘ面側から見た図である。
【図６】図４に示す状態からドアを僅かに開き、カバーアームを倒伏させてその先端側のロックピン掛止凹部にロックピンを掛止させたときのドアガードを、図１におけるＸ−Ｘ面側から見た図である。
【図７】図４に示す状態からロックピン受け部が溶け落ちて、ロックピン掛止凹部がロックピンを掛止できなくなったときのドアガードを、図１におけるＸ−Ｘ面側から見た図である。
【図８】図７に示す状態となった後、ドアが自然に閉まり始めたときのドアガードを、図１におけるＸ−Ｘ面側から見た図である。
【図９】図８に示す状態となった後、ドアが完全に閉まったときのドアガードを、図１におけるＸ−Ｘ面側から見た図である。
【図１０】図５に示すドアガードをＹ−Ｙ面で切断した状態を示した断面図である。
【図１１】本発明のドアガードを用いて半開きの状態に維持されたドアを水平面で切断した状態を示した断面図である。
【発明を実施するための形態】
【００１９】
１．ドアガードの概要
本発明のドアガードの好適な実施態様について、図面を用いてより具体的に説明する。図１は、本発明のドアガード１を玄関のドア１００に取り付けた状態を室内側から見た状態を示した図である。図２は、図１におけるドアガード１の周辺を拡大した状態を示した図である。図３は、ドア１００が閉じられた状態でロックアーム２０をロックピン１０側に回動させ、ロックピン１０の先端部１２をロックピン嵌合孔２３に通り抜けさせたときのドアガード１を、図１におけるＸ−Ｘ面側から見た図である。図４は、図３に示す状態からカバーアーム３０を持ち上げたときのドアガード１を、図１におけるＸ−Ｘ面側から見た図である。図５は、図４に示す状態からドア１００を僅かに開き、カバーアーム３０を倒伏させてその基端側のロックピン掛止凹部３２にロックピン１０を掛止させたときのドアガード１を、図１におけるＸ−Ｘ面側から見た図である。図６は、図４に示す状態からドア１００を僅かに開き、カバーアーム３０を倒伏させてその先端側のロックピン掛止凹部３２にロックピン１０を掛止させたときのドアガード１を、図１におけるＸ−Ｘ面側から見た図である。図７は、図４に示す状態からロックピン受け部３３が溶け落ちて、ロックピン掛止凹部３２がロックピン１０を掛止できなくなったときのドアガード１を、図１におけるＸ−Ｘ面側から見た図である。図８は、図７に示す状態となった後、ドア１００が自然に閉まり始めたときのドアガード１を、図１におけるＸ−Ｘ面側から見た図である。図９は、図８に示す状態となった後、ドア１００が完全に閉まったときのドアガード１を、図１におけるＸ−Ｘ面側から見た図である。図１０は、図５に示すドアガード１をＹ−Ｙ面で切断した状態を示した断面図である。
【００２０】
本実施態様のドアガードは、図２〜１０に示すように、ドア１００の室内側表面に取り付けられるロックアーム２０と、ドア枠２００における室内側部分に取り付けられるロックピン１０と、ロックアーム２０の基端部に取り付けられたカバーアーム３０とで構成されている。ロックアーム２０は、ライナーなどを介して、軸Ｌ１を中心として水平方向に回動させることが可能な状態でドア１００に取り付けられ、カバーアーム３０は、軸Ｌ２を中心として上下方向に起立又は倒伏させることが可能な状態でロックアーム２０の基端部に取り付けられている。
【００２１】
２．ロックピン
ロックピン１０は、図１０に示すように、その先端部１２の直径Ｄ２が、その基端部１１の直径Ｄ１よりも大きく形成されている。ロックピン１０は、ドア枠２００から内側に向かって水平方向に突出するように設けている。図１０において、ロックピン１０は、ドア枠２００に対して一体的に設けた状態に描いてあるが、ドア枠２００に対して回動可能な状態で取り付け、ドアガード１が必要なときにのみドア枠２００から内側に突出できるように設けると好ましい。これにより、ドアガード１を使用しないときにロックピン１０が邪魔にならないようにすることができる。
【００２２】
３．ロックアーム
ロックアーム２０は、図４に示すように、側面視Ｕ字状の本体部２１を有しており、その基端部には、ロックピン嵌合孔２３が設けられており、その基端部から先端側にかけては、細長状のロックピン案内孔２２が設けられている。ロックピン嵌合孔２３とロックピン案内孔２２は連続して設けられている。ロックピン嵌合孔２３の上下幅Ｗ２は、ロックピン１０の先端部１２の外径Ｄ２（図１０）よりも広くなっており、ロックピン１０の先端部１２をロックピン嵌合孔２３に通すことが可能となっている。このため、図３に示すように、ドア１００が閉じられた状態でロックアーム２０をロックピン１０側に回動させると、ロックピン１０の先端部１２がロックピン嵌合孔２３を通り抜けて、ロックピン１０の基端部１１がロックピン嵌合孔２３を貫通したロックピン嵌合状態となるようになっている。ロックピン１０がロックピン嵌合孔２３にあるときに、ロックアーム２０をドア１００側に回動させると、ロックピン嵌合状態が解除され、ドア１００を大きく開くことができる状態となる。
【００２３】
一方、ロックピン案内孔２２の上下幅Ｗ１は、ロックピン１０の基端部１１の外径Ｄ１（図１０）よりも広いものの、ロックピン１０の先端部１２の外径Ｄ２（図１０）よりも狭くなっている。すなわち、ロックピン案内孔２２は、ロックピン１０の基端部１１を通しながらもロックピン１０の先端部１２を通すことができない寸法となっている。このため、図３に示すロックピン嵌合状態からドア１００を外側へ開いていくと、ロックピン１０の基端部１１がロックピン嵌合孔２３からロックピン案内孔２２へと移動してロックピン案内孔２２を先端側に案内されていくようになっている。ロックピン１０の基端部１１がロックピン案内孔２２にあるときは、ロックピン１０の先端部１２をロックピン案内孔２２から抜くことができないため、ロックアーム２０をドア１００側へ回動させることができない状態となっている。このため、本実施態様のドアガード１は、カバーアーム３０を上向きに起立させた状態にしておくと、通常のドアガードとして使用することができるようになっている。すなわち、ドア１００を開いていき、ロックピン１０の基端部１１がロックピン案内孔２２における先端側の限界位置に達すると、それ以上はドア１００を開くことができない状態となる。
【００２４】
４．カバーアーム
カバーアーム３０は、図３の矢印Ａに示すように、軸Ｌ２を中心として起立させることが可能な状態でロックアーム２０の基端部に取り付けられている。カバーアーム３０は、本体部３１と、本体部３１を操作するためのつまみ部３６とで構成している。本体部３１は、図１０に示すように、一対の側壁部と、該一対の側壁部の上縁を連結する天井部とを有する断面溝型の形態を為している。したがって、カバーアーム３０をロックアーム２０に対して倒伏させた際に、カバーアーム３０の天井部の下面がロックアーム２０の上面に当接して、カバーアーム３０の一対の側壁部がロックアーム２０の前後を覆う構造となっている。
【００２５】
カバーアーム３０の下縁（前記一対の側壁部の下縁）における基端側と先端側の２箇所には、図４に示すように、ロックピン掛止凹部３２がそれぞれ設けられている。これらのロックピン掛止凹部３２は、ロックピン案内孔２２を案内されるロックピン１０を所定位置で掛止するためのものである。すなわち、図４に示すように、カバーアーム３０を持ち上げた状態でドア１００を開いていき、ロックピン１０がロックピン案内孔２２を先端側に案内されていく際に、カバーアーム３０をロックアーム２０に対して倒伏させ、ロックピン掛止凹部３２にロックピン１０を掛止させることで、ロックピン１０がロックピン案内孔２２の内部を移動できなくして、ドア１００を半開きの状態で維持することができる。本実施態様のドアガード１では、ロックピン掛止凹部３２を２箇所に設けたことにより、図５と図６に示すように、ロックピン１０を掛止させるロックピン掛止凹部３２を選択することで、半開き状態に維持されるドア１００の隙間の幅をＷ３（図５）とＷ４（図６）との２段階で調節することができるようになっている。ドア１００は、ドアクローザ３００（図１）によって閉まる方向に付勢されているため、ロックピン掛止凹部３２に掛止されたロックピン１０は、ロックピン掛止凹部３２が設けられた箇所よりも基端側のロックピン受け部３３（網掛けハッチングで示した略三角状の部分）に押し当てられた状態となる。換言すると、ロックピン受け部３３がロックピン１０を支持することによって、ドア１００は半開きの状態で維持されるようになっている。
【００２６】
図１１は、本発明のドアガード１を用いて半開きの状態に維持されたドア１００を水平面で切断した状態を示した断面図である。このとき、ドア１００とドア枠２００との間に形成される隙間は狭いため、外側から内側へ人は進入することができない。また、ドアガード１を外すためには、上述したように、ドア１００を完全に閉じてからドアガード１をドア１００の側へ回動させる必要がある。このため、外側からはドアガード１を外すことができないようになっている。また、本実施態様のドアガード１１は、図１に示すように、ドア１００を半開きの状態で維持する機能を有しているため、外側の空気を内側に取り込んだり、内側の空気を外側に排出したりすることが可能となっている。例えば、マンションの玄関において、図１１における矢印Ｃの向きに吹く風を室内側へ効率的に取り込むことができる。また、図１１における矢印Ｄの向きに風が吹くと、ドア１００の外側が負圧となって、内側の空気を外側に吸い出すことができる。これらの現象は、ベランダに面した掃き出し窓（他の窓やドア）を開けておくことで、より顕著に発現する。したがって、夏の暑い時期でも、クーラーを使用することなく、室内を涼しくすることが可能であり、省エネルギー化を促進することも容易となる。
【００２７】
また、本実施態様のドアガード１においては、図４に示すロックピン受け部３３を、鉛やスズを主成分とする合金（ハンダ）で形成しており、カバーアーム３０における他の部分よりも融点を低くしている。これに対し、カバーアーム３０におけるロックピン受け部３３以外の部分や、ロックアーム２０や、ロックピン１０は、融点の高い（融点が６００℃以上の）材料で形成している。すなわち、火災の発生などでドアガード１が熱せられた際には、図７に示すように、ロックピン受け部３３のみが溶け落ちるようになっている。図７の状態においては、ロックピン掛止凹部３２の基端側が緩やかな傾斜面となるため、ロックピン掛止凹部３２はロックピン１０を掛止できなくなる。加えて、上述した通り、ドア１００は、ドアクローザ３００（図１）によって閉まる向き（図７の矢印Ｂの向き）に付勢されているため、ロックピン１０は、図８に示すように、ロックピン掛止凹部３２を乗り越えてロックピン案内孔２２を基端側に移動していく。最終的には、ロックピン１０は、図９に示すように、ロックピン嵌合孔２３まで移動し、ドア１００は、完全に閉まった状態となる。これにより、図５や図６に示すように、ドアガード１でドア１００が半開きの状態で維持されているときに火災が発生すると、図７〜９に示すように、ドア１００が自動的に閉まるようになっており、延焼や煙の拡散を防止することができるようになっている。ハンダは、融点が８０℃程度のものから２００℃を超えるものまでが知られているが、このうち、融点が８０〜１５０℃程度の低融点ハンダを用いてロックピン受け部３３を形成すると好ましい。本実施態様のドアガード１では、融点が１３９℃のハンダでロックピン受け部３３を形成している。
【００２８】
カバーアーム３０におけるロックピン受け部３３以外の部分は、ステンレス鋼や鉄などで形成してもよいが、０℃における熱伝導率が２００Ｗ・ｍ−１・Ｋ−１以上の金属によって形成すると好ましい。このように、カバーアーム３０におけるロックピン受け部３３以外の部分を熱伝導率の高い金属で形成することによって、火災発生時に当該部分が加熱されやすくして、ロックピン受け部３３をより確実に溶け落ちさせることが可能になる。０℃における熱伝導率が２００Ｗ・ｍ−１・Ｋ−１以上の金属としては、アルミニウム（２３６Ｗ・ｍ−１・Ｋ−１）や、銅（４０３Ｗ・ｍ−１・Ｋ−１）や、銀（４２８Ｗ・ｍ−１・Ｋ−１）などが例示される。これらの金属のうち、コストを考慮すると、アルミニウムや銅が好ましい。また、ハンダの接着性を考慮すると、銅が好ましい。本実施態様のドアガード１においても、ロックピン受け部３３は銅で形成している。
【符号の説明】
【００２９】
１    ドアガード
１０    ロックピン
１１    基端部
１２    先端部
２０    ロックアーム
２１    本体部
２２    ロックピン案内孔
２３    ロックピン嵌合孔
３０    カバーアーム
３１    本体部
３２    ロックピン掛止凹部
３３    ロックピン受け部
３６    つまみ部
１００    ドア
１０１    取っ手
２００    ドア枠
３００    ドアクローザ
Ａ    カバーアームの起立方向
Ｂ    ドアを閉じる向き
Ｃ    風の向き
Ｄ    風の向き
Ｄ１    ロックピンの基端部の直径
Ｄ２    ロックピンの先端部の直径
Ｌ１    ロックアームの回動軸
Ｌ２    カバーアームの回動軸
Ｗ１    ロックピン案内孔の上下幅
Ｗ２    ロックピン嵌合孔の上下幅
Ｗ３    カバーアームにおける基端側のロックピン掛止凹部にロックピンを掛止した場合にドアとドア枠との間に形成される隙間の幅
Ｗ４    カバーアームにおける先端側のロックピン掛止凹部にロックピンを掛止した場合にドアとドア枠との間に形成される隙間の幅
【図１】
2014034817.tif 000003
【図２】
2014034817.tif 000004
【図３】
2014034817.tif 000005
【図４】
2014034817.tif 000006
【図５】
2014034817.tif 000007
【図６】
2014034817.tif 000008
【図７】
2014034817.tif 000009
【図８】
2014034817.tif 000010
【図９】
2014034817.tif 000011
【図１０】
2014034817.tif 000012
【図１１】
2014034817.tif 000013
【手続補正書】
【提出日】平成25年4月9日(2013.4.9)
【手続補正１】
【補正対象書類名】特許請求の範囲
【補正対象項目名】全文
【補正方法】変更
【補正の内容】
【特許請求の範囲】
【請求項１】
水平方向に回動させることが可能な状態でドアの室内側表面に取り付けられるロックアームと、
ドア枠における室内側部分に取り付けられるロックピンと
で構成され、
ロックピンの先端部が、ロックピンの基端部よりも太く形成され、
ロックピンの先端部を通すことが可能な寸法のロックピン嵌合孔が、ロックアームの基端部に設けられ、
ロックピンの基端部を通しながらもロックピンの先端部を通すことができない上下幅を有するロックピン案内孔が、ロックアームの基端部から先端側に向かって設けられ、
ドアが閉じられた状態でロックアームをロックピン側に回動させると、ロックピンの先端部がロックピン嵌合孔を通り抜けて、ロックピンの基端部がロックピン嵌合孔を貫通したロックピン嵌合状態となり、
ロックピン嵌合状態でドアを開いていくと、ロックピンの基端部がロックピン案内孔を先端側に案内されていき、ロックピンの基端部がロックピン案内孔における先端側の限界位置に達すると、それ以上はドアを開くことができない状態となる
ドアガードであって、
ロックアームの上方からロックアームに向かって倒伏させることができるようにロックアームの基端部に対して回動可能な状態で取り付けられたカバーアームを備え、
ロックピン案内孔を案内されるロックピンを所定位置で掛止するためのロックピン掛止凹部が、カバーアームの下縁に設けられ、
ロックピン嵌合状態でドアを開いていく際に、カバーアームをロックアームに対して倒伏させ、ロックピン掛止凹部にロックピンを掛止させることで、ロックピンがロックピン案内孔を移動できなくして、ドアを半開きの状態で維持することができるようにしたことを特徴とするドアガード。
【請求項２】
複数のロックピン掛止凹部が、カバーアームの下縁に所定間隔で形成され、
ロックピンを掛止させるロックピン掛止凹部を選択することで、半開き状態に維持されるドアの隙間を段階的に調節することができるようにした請求項１記載のドアガード。
【請求項３】
カバーアームが、その下縁にロックピン掛止凹部が設けられた一対の側壁部と、該一対の側壁部の上縁を連結する天井部とを有する構造とされ、
カバーアームをロックアームに対して倒伏させた際に、カバーアームの天井部の下面がロックアームの上面に当接して、カバーアームの一対の側壁部がロックアームの前後を覆う構造とした請求項１又は２記載のドアガード。
【請求項４】
カバーアームにおけるロックピン掛止凹部が設けられた箇所よりも基端側のロックピン受け部が、カバーアームにおける他の部分よりも融点の低い材料によって形成され、
熱によってロックピン受け部が溶け落ちた後は、ロックピン掛止凹部がロックピンを掛止できなくなる構造とした請求項１〜３いずれか記載のドアガード。
【請求項５】
ロックピン受け部が、融点７０〜５００℃の材料によって形成された請求項４記載のドアガード。